【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
基板と、
基板上に配置されたタッチ・センサと、
絶縁層の少なくとも一部はタッチ・センサに配置されている絶縁層と、
発光デバイスの少なくとも一部は絶縁層に配置されている発光デバイスと、
を含む選択的照明タッチ・センサ装置。
【請求項２】
請求項１記載のタッチ・センサ装置であって、基板の少なくとも一部は、実質的に半透明である前記センサ装置。
【請求項３】
請求項１記載のタッチ・センサ装置であって、基板の少なくとも一部は、実質的に透明である前記センサ装置。
【請求項４】
請求項１記載のタッチ・センサ装置であって、絶縁層の少なくとも一部は、実質的に半透明である前記センサ装置。
【請求項５】
請求項１記載のタッチ・センサ装置であって、絶縁層の少なくとも一部は、実質的に透明である前記センサ装置。
【請求項６】
請求項１記載のタッチ・センサ装置であって、基板は、実質的に剛性である前記センサ装置。
【請求項７】
請求項１記載のタッチ・センサ装置であって、基板は、実質的に可撓性である前記センサ装置。
【請求項８】
請求項１記載のタッチ・センサ装置であって、タッチ・センサ装置は、基板に配置された第１の電極を含み、発光デバイスは、実質的に第１の電極にある前記センサ装置。
【請求項９】
請求項８記載のタッチ・センサ装置であって、第１の電極の少なくとも一部は、実質的に半透明である前記センサ装置。
【請求項１０】
請求項８記載のタッチ・センサ装置であって、第１の電極の少なくとも一部は、実質的に透明である前記センサ装置。
【請求項１１】
請求項８記載のタッチ・センサ装置であって、基板に配置され第１の電極に電気的に結合された統合化制御回路をさらに含む前記センサ装置。
【請求項１２】
請求項１１記載のタッチ・センサ装置であって、統合化制御回路は、ピーク検出器を含む前記センサ装置。
【請求項１３】
請求項１１記載のタッチ・センサ装置であって、統合化制御回路は、ラッチを含む前記センサ装置。
【請求項１４】
請求項８記載のタッチ・センサ装置であって、第２の電極を含み、第２の電極は、第１の電極に対し間隔をあけ同一平面内にかつ実質的に取り巻く位置関係で基板に配置されている前記センサ装置。
【請求項１５】
請求項１４記載のタッチ・センサ装置であって、基板に配置され、第１の電極および第２の電極に電気的に結合された能動デバイスをさらに含む前記センサ装置。
【請求項１６】
請求項１５記載のタッチ・センサ装置であって、能動デバイスは、トランジスタである前記センサ装置。
【請求項１７】
請求項１４記載のタッチ・センサ装置であって、基板に配置され、第１の電極および第２の電極に電気的に結合された統合化制御回路をさらに含む前記センサ装置。
【請求項１８】
請求項１７記載のタッチ・センサ装置であって、統合化制御回路は、ピーク検出器を含む前記センサ装置。
【請求項１９】
請求項１７記載のタッチ・センサ装置であって、統合化制御回路は、ラッチを含む前記センサ装置。
【請求項２０】
請求項１記載のタッチ・センサ装置であって、タッチ・センサ装置は、容量性タッチ・センサ、赤外線タッチ・センサ、音響タッチ・センサおよび電磁タッチ・センサから成るグループから選択される前記センサ装置。
【請求項２１】
請求項１記載のタッチ・センサ装置であって、発光デバイスは、発光ダイオード、発光ポリマ、有機発光ダイオードおよびポリマ発光ダイオードから成るグループから選択される前記センサ装置。
【請求項２２】
基板と、
基板に配置された発光デバイスであって、発光デバイスは、第１の電極、第２の電極並びに第１および第２の電極に電気的に結合された発光素子を有する発光デバイスと、
発光デバイスの付近に電界を発生する界発生手段であって、界発生手段は、第１および第２の電極に電気的に結合されている界発生手段と、
電界の外乱を検出する検出手段であって、検出手段は、第１および第２の電極に電気的に結合されている検出手段と、
を含む選択照明タッチ・センサ装置。
【請求項２３】
請求項２２記載のタッチ・センサ装置であって、基板の少なくとも一部は、実質的に半透明である前記センサ装置。
【請求項２４】
請求項２２記載のタッチ・センサ装置であって、基板の少なくとも一部は、実質的に透明である前記センサ装置。
【請求項２５】
請求項２２記載のタッチ・センサ装置であって、基板は、実質的に剛性である前記センサ装置。
【請求項２６】
請求項２２記載のタッチ・センサ装置であって、基板は、実質的に可撓性である前記センサ装置。
【請求項２７】
請求項２２記載のタッチ・センサ装置であって、基板に配置され、第１および第２の電極に電気的に結合された統合化制御回路をさらに含む前記センサ装置。
【請求項２８】
請求項２７記載のタッチ・センサ装置であって、統合化制御回路は、ピーク検出器を含む前記センサ装置。
【請求項２９】
請求項２７記載のタッチ・センサ装置であって、統合化制御回路は、ラッチを含む前記センサ装置。
【請求項３０】
基板と、
基板に配置された第１の電極と、
第１の電極に配置され第１の電極に電気的に結合された発光素子と、
発光素子に配置され、発光素子に電気的に結合された第２の電極と、
第１の電極に対し間隔をあけ同一平面内にかつ実質的に取り巻く位置関係で基板に配置されている第３の電極と、
第１および第３の電極付近に電界を発生する界発生手段であって、界発生手段は、第１および第３の電極に電気的に結合されている界発生手段と、
電界の外乱を検出する検出手段であって、検出手段は、第１および第３の電極に電気的に結合されている検出手段と、
を含む選択的照明タッチ・センサ装置。
【請求項３１】
請求項３０記載のタッチ・センサ装置であって、基板の少なくとも一部は、実質的に半透明である前記センサ装置。
【請求項３２】
請求項３０記載のタッチ・センサ装置であって、基板の少なくとも一部は、実質的に透明である前記センサ装置。
【請求項３３】
請求項３０記載のタッチ・センサ装置であって、基板は、実質的に剛性である前記センサ装置。
【請求項３４】
請求項３０記載のタッチ・センサ装置であって、基板は、実質的に可撓性である前記センサ装置。
【請求項３５】
請求項３０記載のタッチ・センサ装置であって、基板に配置され第１および第３の電極に電気的に結合された能動デバイスをさらに含む前記センサ装置。
【請求項３６】
請求項３５記載のタッチ・センサ装置であって、能動デバイスは、トランジスタである前記センサ装置。
【請求項３７】
請求項３０記載のタッチ・センサ装置であって、基板に配置され、第１および第３の電極に電気的に結合された統合化制御回路をさらに含む前記センサ装置。
【請求項３８】
請求項３７記載のタッチ・センサ装置であって、統合化制御回路は、ピーク検出器を含む前記センサ装置。
【請求項３９】
請求項３７記載のタッチ・センサ装置であって、統合化制御回路は、ラッチを含む前記センサ装置。
【請求項４０】
請求項３７記載のタッチ・センサ装置であって、統合化制御回路は、第２の電極に電気的に結合されている前記センサ装置。
【請求項４１】
第１の電極、第２の電極並びに第１および第２の電極の間の発光層を含む発光デバイスをタッチ・センサとして用い刺激に応答して選択的に照明を発生する方法において、
第１および第２の電極付近に電界を発生するステップと、
電界の外乱を検出するステップと、
外乱に基づき発光デバイスを起動して発光するステップと、
を含む前記方法。
【請求項４２】
請求項１記載のタッチ・センサ装置であって、さらに、タッチ・センサの動作を制御および検出し第１の発光デバイスの照明を制御する手段を含む前記タッチ・センサ装置。
【請求項４３】
請求項１記載のタッチ・センサ装置であって、さらに、前記タッチ・センサの動作を制御しその刺激状態を検出し、発光デバイスの照明を制御する駆動回路を含む前記センサ装置。
【請求項４４】
請求項４３記載のタッチ・センサ装置であって、前記駆動回路は、タッチ・センサの動作および／または刺激状態の関数として発光デバイスを選択的に照明する前記センサ装置。
【請求項４５】
請求項１記載のタッチ・センサ装置であって、さらに、基板に配置された第２のタッチ・センサと、
第２の絶縁層と、第２の絶縁層の少なくとも一部は、さらに第２のタッチ・センサに配置され、
第２の発光デバイスと、第２の発光デバイスの少なくとも一部は、第２のタッチ・センサと一直線に第２の絶縁層に配置される前記センサ装置。
【請求項４６】
請求項４５記載のタッチ・センサ装置であって、さらに、タッチ・センサおよび第２のタッチ・センサの動作を制御しその押圧状態を検出し、発光デバイスおよび第２の発光デバイスの照明を制御する手段を含む前記センサ装置。
【請求項４７】
請求項４５記載のタッチ・センサ装置であって、さらに、タッチ・センサおよび第２のタッチ・センサの動作を制御しその刺激状態を検出し、発光デバイスおよび第２の発光デバイスの照明を制御する駆動回路を含み、駆動回路は、タッチ・センサ、第２のタッチ・センサ、発光デバイスおよび第２の発光デバイスに接続される前記センサ装置。
【請求項４８】
請求項４７記載のタッチ・センサ装置であって、前記駆動回路は、タッチ・センサの動作状態の関数として発光デバイスを選択的に照明し、第２のタッチ・センサの動作および／または刺激状態の関数として第２の発光デバイスを選択的に照明する前記センサ装置。
【請求項４９】
請求項４５記載のタッチ・センサ装置であって、さらに、
基板に配置された第３のタッチ・センサと、
第３の絶縁層と、第３の絶縁層の少なくとも一部は、さらに第３のタッチ・センサに配置され、
第３の発光デバイスと、第３の発光デバイスの少なくとも一部は、第３のタッチ・センサと一直線に第３の絶縁層に配置される前記センサ装置。
【請求項５０】
請求項４９記載のタッチ・センサ装置であって、さらに、タッチ・センサ、第２のタッチ・センサおよび第３のタッチ・センサの動作を制御しその刺激状態を検出し、発光デバイス、第２の発光デバイスおよび第３の発光デバイスの照明を制御する手段を含む前記センサ装置。
【請求項５１】
請求項４９記載のタッチ・センサ装置であって、さらに、タッチ・センサ、第２のタッチ・センサおよび第３のタッチ・センサの動作を制御しその押圧状態を検出し、発光デバイス、第２の発光デバイスおよび第３の発光デバイスの照明を制御する駆動回路を含む前記センサ装置。
【請求項５２】
請求項５１記載のタッチ・センサ装置であって、前記駆動回路は、タッチ・センサの動作および／または刺激状態の関数として発光デバイスを選択的に照明し、第２のタッチ・センサの動作および／または刺激状態の関数として第２の発光デバイスを選択的に照明し、第３のタッチ・センサの動作および／または刺激状態の関数として第３の発光デバイスを選択的に照明する前記センサ装置。
【請求項５３】
請求項２０記載のタッチ・センサ装置であって、さらに、タッチ・センサの動作を制御しその刺激状態を検出し、発光デバイスの照明を制御する手段を含む前記センサ装置。
【請求項５４】
請求項２０記載のタッチ・センサ装置であって、さらに、タッチ・センサの動作を制御しその刺激状態を検出し、発光デバイスの照明を制御する駆動回路を含む前記センサ装置。